(57)【要約】      （修正有）【課題】点検パネルの前表面板とランマパネルの後表面板を、閉鎖状態の引戸の前後面板とほぼ面一とされた引戸装置であっても、簡単な構造で、引戸上端と、点検パネルやランマパネルの下端に生まれる隙間から構造体が見えず、また、光が漏れてこない引戸装置を提供する。【解決手段】点検パネル８の前表面板とランマパネルの後表面板は、閉鎖状態の引戸６の前後面板６２，６３とほぼ面一となる引戸装置において、引戸６の前後それぞれの上部に、ランマパネルの下部突部８０４と点検パネル下部突部８４を収容するようにした後側凹部７０１，前側凹部７００を設ける。【選択図】図９
2015203211.tif 000002
【特許請求の範囲】
【請求項１】
建物用鉄骨に固定される引戸枠にレール部材が設けられ、レール部材に開閉自在に吊り下げられた引戸の閉鎖状態で、引戸が位置する側を出入口側とし、出入口側は、少なくとも、戸先側縦枠と、前後に所定間隔を有して配設された前後中縦枠と、前後中縦枠と戸先側縦枠の上端部間に配設されるランマパネルと点検パネルより構成され、ランマパネルと点検パネルは、着脱自在で、上下方向に取付け高さ変更可能に構成されると共に、点検パネルの前表面板とランマパネルの後表面板は、閉鎖状態の引戸の前後面板とほぼ面一となる引戸装置において、引戸の前後それぞれの上部に、ランマパネルと点検パネルの下端部を収容するようにした凹部が設けられていることを特徴とする引戸装置。
【請求項２】
引戸の前後それぞれの上部に設けられた凹部は、引戸を形成する引戸上枠の上面に取り付けられる開閉方向に長尺な凸部材で形成され、少なくとも戸先側が、引戸上枠より戸先側に突出し、該突出部には、引戸に設けられた施錠装置の施錠杆が貫通する貫通孔が設けられているとともに、凸部材の長尺長さは、引戸装置の中縦枠と戸先側縦枠間で形成される出入口開口部巾以上の長さとされることを特徴とする請求項１に記載の引戸装置。
【請求項３】
凸部材は、引戸の厚みより薄く形成されるとともに引戸上部に立設する仕切部と、仕切部下端から前後にそれぞれに突設する支持突片とを有し、引戸上枠の上面にそれぞれの支持突片の下面が載置するとともに、支持突片の上面に、引戸の前後それぞれの表面を形成する表面板材の上部折曲部が被せられることを特徴とする請求項２に記載の引戸装置。
【発明の詳細な説明】
【技術分野】
【０００１】
本発明は、特に事務所の出入口等に使用されるデザイン性に優れた引戸装置に関するものである。
【背景技術】
【０００２】
デザイン性を考慮して、点検パネルの前表面板とランマパネルの後表面板を、閉鎖状態の引戸の前後面板とほぼ面一とした引戸装置がある。（例えば特許文献１）
しかしながらこのような引戸装置の場合、引戸上端と、点検パネルやランマパネルの下端に生まれるわずかな隙間から、点検パネルとランマパネル間に配設されるレール部材などの構造体が見えるので見栄えが悪い。そのため、見えたとしても目立たないように黒色等に塗装するなどして余分なコストがかかっていた。
また、該隙間から、引戸を挟んだ対面側の光が、他方側に漏れてくるため、病室やホテルなど、夜間睡眠を取ることのある部屋の入り口に設置することは不適当であった。
【先行技術文献】
【特許文献】
【０００３】
【特許文献１】特開２０１３−９６１９９公報
【発明の概要】
【発明が解決しようとする課題】
【０００４】
本発明は、点検パネルの前表面板とランマパネルの後表面板を、閉鎖状態の引戸の前後面板とほぼ面一とされた引戸装置であっても、簡単な構造で、引戸上端と、点検パネルやランマパネルの下端に生まれる隙間から構造体が見えず、また、光が漏れてこない引戸装置を提供することを課題とする。
【課題を解決するための手段】
【０００５】
上記課題を解決する為、本発明が第１の手段として構成したところは、建物用鉄骨に固定される引戸枠にレール部材が設けられ、レール部材に開閉自在に吊り下げられた引戸の閉鎖状態で、引戸が位置する側を出入口側とし、出入口側は、少なくとも、戸先側縦枠と、前後に所定間隔を有して配設された前後中縦枠と、前後中縦枠と戸先側縦枠の上端部間に配設されるランマパネルと点検パネルより構成され、ランマパネルと点検パネルは、着脱自在で、上下方向に取り付け高さ変更可能に構成されると共に、点検パネルの前表面板とランマパネルの後表面板は、閉鎖状態の引戸の前後面板とほぼ面一となる引戸装置において、引戸の前後それぞれの上部に、ランマパネルと点検パネルの下端部を収容するようにした凹部が設けられているものである。
【０００６】
次に上記課題を解決する為、本発明が第２の手段として構成したところは、上記第１の手段に加えて、引戸の前後それぞれの上部に設けられた凹部は、引戸を形成する引戸上枠の上面に取り付けられる開閉方向に長尺な凸部材で形成され、少なくとも戸先側が、引戸上枠より戸先側に突出し、該突出部には、引戸に設けられた施錠装置の施錠杆が貫通する貫通孔が設けられているとともに、凸部材の長尺長さは、引戸装置の中縦枠と戸先側縦枠間で形成される出入口開口部巾以上の長さとされるものである。
【０００７】
次に上記課題を解決する為、本発明が第３の手段として構成したところは、上記第２の手段に加えて、凸部材は、引戸の厚みより薄く形成されるとともに引戸上部に立設する仕切部と、仕切部下端から前後にそれぞれに突設する支持突片とを有し、引戸上枠の上面にそれぞれの支持突片の下面が載置するとともに、支持突片の上面に、引戸の前後それぞれの表面を形成する表面板材の上部折曲部が被せられるものである。
【発明の効果】
【０００８】
第１手段として構成したところによると、引戸上部の凹部が、ランマパネルと点検パネル間に飲み込んだ状態で配設されるので、凹部（飲み込み部）が目隠しとなり、点検パネルやランマパネルの下端に対向する引戸上端と、点検パネルやランマパネルの下端間に生まれるわずかな隙間からレール部材などの構造体が見えないばかりか、該隙間から、引戸を挟んだ対面側の光が、他方側に漏れてくることがない。
また、引戸の前後それぞれの上部の凹部にランマパネルと点検パネルの下端部を収容しているので、ランマパネルと点検パネルの前後表面板と、引戸前後表面板を面一にすることができる。
【０００９】
第２手段として構成したところによると、上記第１の手段として構成したところによる効果に加え、凸部材は、戸先側が、引戸上枠より戸先側に突出し、突出部に施錠装置の施錠杆が貫通する貫通孔が設けられているので、引戸上枠の戸先端であって突出部の下方部の位置に引戸縦枠を設置することができ、そのため、引戸縦枠の内部に、施錠装置の施錠杆を挿通させることができるので施錠装置が設置しやすい。
また、引戸装置の中縦枠と戸先側縦枠間で形成される出入口開口部巾以上の長さであるため、出入口開口部の開閉方向全域において、点検パネルやランマパネルの下端に生まれるわずかな隙間から構造体が見えることを防止でき、引戸を挟んだ対面側の光が、他方側に漏れてくることを防止できる。
【００１０】
第３手段として構成したところによると、上記第２の手段として構成したところによる効果に加え、支持突片の上面に、引戸の前後それぞれの表面を形成する表面板材の上部折曲部が被せられるので、支持突片の前端部が、上部折曲部で隠され、点検パネルやランマパネルの下端に生まれるわずかな隙間から、支持突片の前端部が見えることがないので、見栄えが良い。
【図面の簡単な説明】
【００１１】
【図１】本発明の引戸の閉鎖状態の正面略図。
【図２】図１のＡ―Ａ線断面拡大図。
【図３】図１のＢ―Ｂ線断面拡大図。
【図４】図１のＣ―Ｃ線断面拡大図る。
【図５】図１のＤ―Ｄ線断面に相当し、点検パネルとランマパネル部を示す拡大略図。
【図６】引戸の内部構造を示す断面図。
【図７】戸先側引戸縦枠部分の要部拡大断面図。
【図８】点検パネル及びランマパネルの戸先側下部の取り付け状態を示す要部拡大断面図。
【図９】引戸凹部と点検パネル及びランマパネル下部突部の関係を示す要部拡大断面図。
【発明を実施するための形態】
【００１２】
建物用鉄骨に固定される引戸枠にレール部材が設けられ、レール部材に開閉自在に吊り下げられた引戸の閉鎖状態で、引戸が位置する側を出入口側とし、出入口側は、少なくとも、戸先側縦枠と、前後に所定間隔を有して配設された前後中縦枠と、前後中縦枠と戸先側縦枠の上端部間に配設されるランマパネルと点検パネルより構成され、ランマパネルと点検パネルは、着脱自在で、上下方向に取付け高さ変更可能に構成されると共に、点検パネルの前表面板とランマパネルの後表面板は、閉鎖状態の引戸の前後面板とほぼ面一となる引戸装置において、引戸の前後それぞれの上部に、ランマパネルと点検パネルの下端部を収容するようにした凹部を設け、凹部は、引戸を形成する引戸上枠の上面に取り付けられる開閉方向に長尺な凸部材で形成し、戸先側を、引戸上枠より戸先側に突出させ、該突出部に、引戸に設けられた施錠装置の施錠杆が貫通する貫通孔を設け、凸部材の長尺長さを、引戸装置の中縦枠と戸先側縦枠間で形成される出入口開口部巾以上の長さとし、凸部材を、引戸の厚みより薄く形成され引戸上部に立設する仕切部と、仕切部下端から前後にそれぞれに突設する支持突片とで形成し、引戸上枠の上面に、それぞれの支持突片の下面を載置させるとともに、支持突片の上面に、引戸の前後それぞれの表面を形成する表面板材の上部折曲部を被せる。
【実施例】
【００１３】
以下、第１実施例を添付図面に基づいて詳述する。
図１において、符号１は引戸枠を示している。
引戸枠１は、図１から図４に示すように、建物用鉄骨１１・・・にブラケット１２・・・を介して固定された戸尻側縦枠１３および戸先側縦枠１４と、戸尻側縦枠１３と戸先側縦枠１４の上端間に配設され、建物用鉄骨１１・・・に連結された上枠１５等より構成されている。
【００１４】
そして、戸尻側縦枠１３と戸先側縦枠１４間のほぼ中間位置で、上枠１５の前側（実施例では室内側、）と後側（実施例では室外側）の両面に上端が連結され、下端部が床面に埋め込まれた前中縦枠３と後中縦枠３０が、前後に所定間隔を有して配設されている。
以下、戸尻側縦枠１３と前後中縦枠３、３０間を戸袋側、戸先側縦枠１４と前後中縦枠３、３０間を出入口側、前中縦枠３と後中縦枠３０の方向を前後方向、戸尻側縦枠１３と戸先側縦枠１４の方向を開閉方向と云う。
【００１５】
図１、図２、図４において、符号２は、戸尻側縦枠１３と戸先側縦枠１４の上端内面に、開閉方向の両端部が高さ調節可能に連結されているレール保持材を示している。
レール保持材２の前面側にはレール部材５が取付けられ、レール部材５には引戸６が吊り下げられている。
符号１６は、戸袋側の床面全幅にわたって固定されたベース材を示し、符号４は、ベース材１６の出入口側端部に設けられたガイド装置を示している。
図１、図３、図４において、符号１７は、戸袋室内側及び戸袋室外側の両面上下方向に所定間隔を有して配設された下地桟を示している。
図２において符号１８は、前中縦枠３と戸先側縦枠１４の上端部間に配設された、前中縦枠３の前後方向の幅とほぼ同じ幅を有する、前化粧枠を示し、符号１９は、後中縦枠３０と戸先側縦枠１４の上端部間に配設された、後中縦枠３０の前後方向の幅とほぼ同じ幅を有する、後化粧枠を示す。
【００１６】
そして、上記戸尻側縦枠１３、戸先側縦枠１４、上枠１５、レール部材５が取り付けられたレール保持材２、ベース材１６、前中縦枠３、後中縦枠３０、下地桟１７・・・・・、ガイド装置４、前化粧枠１８、後化粧枠１９が内装仕上げ（化粧ボード１００、クロス等の貼り付け）の行われるまでに施工され、内装仕上げが終了した後、引戸６がレール部材５に吊り込まれ、床面との調整、引戸６の摺動確認、閉鎖スピードの調整作業、レール保持材２の連結固定等が行われる。そして、その後、点検パネル８、ランマパネル８０が引戸６の上方に引戸６と表面が面一に取り付けられる。
すなわち、本発明では、施工が完了した状態では、戸先側縦枠１４、前中縦枠３、後中縦枠３０、前化粧枠１８、後化粧枠１９、点検パネル８、ランマパネル８０、引戸６以外は化粧ボード１００で隠蔽された状態となる。
【００１７】
以下、本件発明に関係する部材について詳述する。
戸尻側縦枠１３は横断面略コ字形に形成され、建物用鉄骨１１の出入口側面から所定寸法離間した位置に立設され、L字形のブラケット１２・・・と建物用鉄骨１１が溶接されたあと、鉛直姿勢の状態でブラケット１２と溶接される。符号１３８は、引戸６が全開した時、引戸６の戸尻側端面が当接する、出入口側面に取り付けられた緩衝部材を示している。
【００１８】
戸先側縦枠１４は、図７に示す如く、建物側鉄骨１１側の上下方向に所定間隔を有して固定用部材１４１・・・が設けられ、前後方向で室内側と室外側（前後）に突出して室内側の化粧ボード１００の出入り口側端面を隠蔽する室内側ボード閉塞突部１４７と、室外側の化粧ボード１００の出入口側端面を隠蔽する室外側ボード閉塞突部１４６と、室内側ボード閉塞突部１４７と室外側ボード閉塞突部１４６間に位置し、上部が室内側ボード閉塞突部１４７と室外側ボード閉塞突部１４６より上方に突出し、引戸６の戸先側端部が位置する部分に上下方向に渡って閉鎖用凹部１４８が設けられている。
【００１９】
上枠１５は、図２に示す如く、断面上向き略コ字形に構成されている。
L字形のブラケット１２・・・と建物用鉄骨１１が溶接されたあと、水平姿勢の状態でブラケット１２と溶接される。
【００２０】
戸先側縦枠１４と上枠１５は上記のように構成され、戸尻側縦枠１３が立設された後、上枠１５の戸先側を戸先側縦枠１４にネジ止めして、上枠１５と戸先側縦枠１４を仮組みした状態で、上枠１５と戸尻側縦枠１３を同様にして仮組みする。
次に、上記の状態を維持しながら戸先側のL字形のブラケット１２・・・を介して、戸先側縦枠１４の固定用部材１４１・・・建物用鉄骨１１と溶接連結し、次に上枠１５と建物用鉄骨１１を連結する。
【００２１】
ベース材１６は、図３、図４に示す如く、戸袋側の床面全幅に位置する固定面１６１と、固定面１６１の室内側（点検側）及び室外側（固定側）の端部に形成された立ち上がり面１６２、１６２と、立ち上がり面１６２、１６２から内方に突出して形成されたＬ字形の下地ボード受け面１６３、１６３と、固定面１６１の出入り口側端部に、出入り口側に突出し、引戸６の下端面に形成された嵌合溝６０内に嵌合するガイドローラー４１を、その上面で回転自在に保持するガイド装置４が固着されている。
そして、ガイドローラー取付部材１６４の出入り口側端部はアンカーボルトにて床面に固定されると共に、ベース材１６の出入口側端部は室内側中枠３、室外側中枠３０の内面と連結され、さらに、戸尻側端部が戸尻側縦枠１３と連結され床面に固定される。
【００２２】
下地桟１７は、基板表面部１７１と、基板表面部１７１の上下端部をL字形に折り曲げた上下フランジ部１７２、１７３より構成され、基板表面部１７１の戸先側端部に取り付けられた係合片が、室外側中枠３０と室内側中枠３に上下方向に所定間隔を有して設けられた係合孔に差し込まれ、基板表面部１７１の戸尻側端部が戸尻側縦枠１３にネジ止め連結され、上下方向に所定間隔を有して配設される。
【００２３】
ガイド装置４は、図２に示すように、引戸６の下面の嵌合溝６０に嵌合するガイドローラー４１と、ガイドローラー４１を、その上面で回転自在に保持するガイドローラー取付部材４２より構成されている。
そして、ガイドローラー取付部材４２の出入り口側端部がアンカーボルトにて床面に固定される。
【００２４】
前後中縦枠３、３０は前後方向で対称形に形成されている。
前中縦枠３は、上端部が上枠１５の室内側垂直面にネジ止め連結される内面側に位置する補強枠３１と、補強枠３１の出入り口側の端部から室内側に位置する室内側外側枠３６より構成されている。
そして、室内側外側枠３６は、出入り口側の端部から室内側に突出し、室内側戸袋化粧ボード１００の出入口側端部を隠蔽する室内側中枠突部３２と、室内側中枠突部３２の内面側端部から戸尻側縦枠１３方向に突出し、室内側戸袋化粧ボード１００が貼り付けられる化粧ボード支持部３３と、化粧ボード支持部３３の戸尻側縦枠１３側の端部からL字形に戸尻側縦枠１３方向に突出し、下地桟４・・・の室内側中枠３側の端部の係止片１７４と係合する係合孔を有する下地桟連結部３４より形成され、下端部がベース材１６と連結され、床面仕上げ時に下端が床面に埋め込まれて立設される。
【００２５】
前中縦枠３０は、上端部が上枠１５の室外側垂直面にネジ止め連結される内面側に位置する補強枠３０１と、補強枠３０１の出入り口側の端部から室外側に位置する室外側外側枠３０６より構成されている。
そして、室外側外側枠３０６は、出入り口側の端部から室外側に突出し、室外側戸袋化粧ボード１００の出入口側端部を隠蔽する室外側中枠突部３０２と、室外側中枠突部３０２の内面側端部から戸尻側縦枠１３方向に突出し、室外側戸袋化粧ボード１００が貼り付けられる化粧ボード支持部３０３と、化粧ボード支持部３０３の戸尻側縦枠１３側の端部からL字形に戸尻側縦枠１３方向に突出し、下地桟４・・・の室内側中枠３側の端部の係止片１７４と係合する係合孔を有する下地桟連結部３０４より形成され、下端部がベース材１６と連結され、床面仕上げ時に下端が床面に埋め込まれて立設される。
【００２６】
前後化粧枠１８、１９は図２に示すように、前後方向で対称形に形成されている。すなわち、前化粧枠１８は、開閉方向の左右端部が前中縦枠３の上端部内面と戸先側縦枠１４の上端部前内面間に配設され、後端面１８１と前記点検パネル上保持突片１５５間に、点検パネル上嵌入用間隙１８２が形成される。
一方、後化粧枠１９は、開閉方向の左右端部が後中縦枠３０の上端部内面と戸先側縦枠１４の上端部後側内面間に配設さて、前端面１９１と前記ランマパネル上保持突片１５６間に、ランマパネル上嵌入用間隙１９２が形成される。
【００２７】
点検パネル８とランマパネル８０は、前後方向で対称形に形成されている。
点検パネル８には、取り付け状態で引戸６の前面板６２と面一に上方に配設される前表面板８１と、前表面板８１の上部に形成された、前記点検パネル上嵌入用間隙１８２に下方から嵌入する点検パネル上嵌入部８２と、前表面板８１の戸先側端部に形成された点検パネル戸先側嵌入部８３と、引戸上部に形成された前側凹部７００に収容される点検パネル下部突部８４が形成されている。
【００２８】
そして、点検パネル下部突部８４に一体化された点検パネル下補強材８６には、前間隔保持金具８５が設けられている。
前間隔保持金具８５は、図８に示すごとく、レール保持材２と連結される前上連結突片８５１と、点検パネル８の点検パネル下補強材８６の前嵌入保持孔８７の上方から嵌入する前下連結突片８５２より逆Ｌ字形に形成されている。そして、前表面板８１の点検パネル戸先側嵌入部８３側で、下補強材８６の裏面側に前嵌入保持孔８７に対応して上下方向に長い前間隔保持金具連結用長孔８８が設けられ、前下連結突片８５２に前間隔保持金具連結用長孔８８に臨む点検パネル連結用螺孔８９が設けられている。
すなわち、点検パネル８の戸先側は、レール保持材２の下面に前間隔保持金具８５が連結された状態で、前嵌入保持孔８７を介して所定範囲で上下動可能で、かつ所望位置で、前間隔保持金具連結用長孔８８を介して、点検パネル連結用螺孔８９と点検パネル下補強材８６をネジ止めすることで、上下動不能に前間隔保持金具８５を介してレール保持材２に連結される。
【００２９】
点検パネル８の戸尻側は、前中縦枠３に上下方向に調節可能にネジ止めされた、前閉塞部材１０に前面側よりネジ止めされる。
前閉塞部材１０は、点検パネル８と略同じ高さに設定され、前中縦枠３の補強枠３１の出入口側面にネジ止めされる上下長孔を有した固定部１０１と、室内側外側枠３６の後面と点検パネル８の前面間に生じる隙間３ａを閉塞する閉塞部１０２と、点検パネル８をネジ止めするための螺孔を有した取付部１０３で構成される。
【００３０】
点検パネル８の戸尻側は、固定部１０１のネジを、室内側外側枠３６に設けられた貫通孔から緩めると、前閉塞部材１０とともに固定部１０１の上下長孔分だけ上下方向に高さ調整をすることができる。
【００３１】
一方、ランマパネル８０は、取付け状態で引戸６の後面板６３と面一に上方に配設される後表面板８０１と、後表面板８０１の上部に形成された、前記ランマパネル上嵌入用間隙１９２に下方から嵌入するランマパネル上嵌入部８０２と、後表面板８０１の戸先側端部に形成されたランマパネル戸先側嵌入部８０３と、引戸上部に形成された後側凹部７０１に収容されるランマパネル下部突部８０４が形成されている。
【００３２】
そして、後表面板８０１の下端部裏面に一体化されたランマパネル下補強材８０６には、ランマパネル戸先側嵌入部８０３側に後間隔保持金具８６０が設けられている。
後間隔保持金具８６０は、図８に示すように、レール保持材２と連結される後上連結突片８６１と、ランマパネル下補強材８０６の後嵌入保持孔８０７の上方から嵌入する後下連結突片８６２より逆Ｌ字形に形成されている。
後表面板８０１のランマパネル戸先側嵌入部８０３側で、下補強材８０６の裏面側に後嵌入保持孔８０７に対応して上下方向に長い後間隔保持金具連結用長孔８０８が設けられ、後下連結突片８６２に後間隔保持金具連結用長孔８０８に臨むランマパネル連結用螺孔８０９が設けられている。すなわち、ランマパネル８０の戸先側は、レール保持材２の下面に後間隔保持金具８６０が連結された状態で、後嵌入保持孔８０７を介して所定範囲で上下動可能で、かつ所望位置で、後間隔保持金具連結用長孔８０８を介して、ランマパネル連結用螺孔８０９とランマパネル下補強材８０６をネジ止めすることで、上下動不能に後間隔保持金具８６０を介してレール保持材２に連結される。
【００３３】
ランマパネル８０の戸尻側は、後中縦枠３０に上下方向に調節可能にネジ止めされた、後閉塞部材１１に前面側よりネジ止めされる。
後閉塞部材１１は、ランマパネル８０と略同じ高さに設定され、後中縦枠３０の補強枠３０１の出入口側面にネジ止めされる上下長孔を有した固定部１１１と、室外側外側枠３０６の前面とランマパネル８０の表面間に生じる隙間３０ａを閉塞する閉塞部１１２と、ランマパネル８０をネジ止めするための螺孔を有した取付部１１３で構成される。
【００３４】
ランマパネル８０の戸尻側は、固定部１１１のネジを、室外側外側枠３０６に設けられた貫通孔から緩めると、後閉塞部材１１とともに固定部１１１の上下長孔分だけ上下方向に高さ調整をすることができる。
【００３５】
レール保持材２は、図２に示すように、レール部材５が前側に連結されるレール部材連結壁を有し、戸先側縦枠１４と戸尻側縦枠１３の上端部間に、高さ調節可能で、水平状態に配設される。
【００３６】
レール部材５は、レール保持材２のほぼ全幅に渡って配設され、図２に示すように、断面略C字形で、レール保持材２よりやや短目のレール補強部材と、レール補強部材の室内側にネジ止め連結される断面略C字形で、レール補強部材とほぼ同長の外側メンバーと、外側メンバーの略３分の２程度の長さのボールリテーナに回転自在に保持されたボールを介して、外側メンバーに摺動自在に保持される、外側メンバーの略３分の１程度の長さの移動側メンバーより構成され、移動側メンバーの前面側には、移動側メンバーと同程度の長さの吊り下げ用金具５１が固着されている。
【００３７】
吊り下げ用金具５１は、図２に示すように、移動側メンバーの前面側に固着される連結固着部５２と、連結固着部５２の下端部に連設された前面側が開口するコ字形の吊り下げ支持部５３より構成されている。
そして、吊り下げ支持部５３の開閉方向側両端部には、前面側が開口する吊り下げボルト挿通孔が形成されている。
【００３８】
吊り下げ用金具５１に吊り下げられる引戸６は、図６に示すように、戸先側に設けられる引戸縦枠６５と引戸６の上部に設けられる引戸上枠６４と、引戸上枠６４の上面に取り付けられる凸部材７と引戸６の下部に設けられる引戸下枠６６と、引戸縦枠６５と引戸上枠６４と引戸下枠６６に囲まれた空間に配設されるペーパーハニカムコア６７で内部構造材が形成され、該内部構造材の前面と後面を、前面板６２、後面板６３で覆うことによってパネル形状とされる。
【００３９】
図２、図３、図６、図９に示すように、引戸６の上部には前側凹部７００、後側凹部７０１が形成され、引戸下枠６６の下端面の開閉方向に前記ガイドローラー４１が嵌合する嵌合溝６０が形成され、戸先部には、緩衝部材である上下方向に長い戸当りゴム６００が設けられている。
符号３００は、引戸６の戸先側端部（引き残し部）で、前後面板６２、６３に設けられた取手を示している。
そして、引戸６の内部には、施錠装置９が内蔵され、施錠装置９の連動部９０１には、引戸縦枠６５内に上下方向に配設される施錠杆９１が連結されている。
【００４０】
施錠装置９は、引戸６の前面と後面に設置され施錠装置９と連結するキーシリンダー９０１、９０１の動作に連動するものである。
施錠装置９、施錠杆９１を用いた引戸の施錠方法は、広く知られた公知技術であるので簡単に説明をする。
【００４１】
施錠杆９１は、上下方向に長い棒状のものであって、施錠装置９の前部の引戸縦枠６５内に突設する連動部９０１に下端部が連結されて、上部の所定の位置で、引戸縦枠６５内を上下摺動可能に支持されている。
そして、開錠状態からキーシリンダー９０１に鍵が差し込まれ、鍵を回転させると、鍵の回転に連動して、施錠装置９の前部に突設する連動部９０１が上昇し、連動部９０１の上昇に合わせて施錠杆９１も上昇する。
この時、施錠杆９１の上昇端が、施錠杆９１より戸尻側であってレール保持材２の所定の位置に設けられた施錠片９０２より高くなるように設定されており、引戸６を開放させようとしても施錠杆９１の上昇端が施錠片９０２に当接し、引戸６は開放できない。
当然ながら、開錠状態において、施錠杆９１上端部は、施錠片９０２より低くなるように設定されている。
【００４２】
前側凹部７００、後側凹部７０１は、凸部材７によって形成される。
凸部材７は、引戸上部に立設する開閉方向に長尺で引戸６の厚みより薄く設定される断面下向きコ字状の仕切部７２と、仕切部７２の下端から前後にそれぞれに突出する前支持突片７２１と後支持突片７２２を有し、仕切部７２は、戸先側が引戸上枠６４より戸先側に突出しており、引戸６の開閉方向（巾方向）と略同一寸法の長さに設定されている。
【００４３】
尚、引戸６の剛性を上げるため、引戸上枠６４の戸尻端側に戸尻縦枠を設けることがあるが、この場合、凸部材７の仕切部７２は、引戸上枠６４より戸尻側にも突出させることになる。
【００４４】
凸部材７の仕切部７２の上面には、施錠杆９１が挿通する施錠挿通孔７２３と、吊り下げボルト６１、６１が貫通する吊り貫通孔７２４、７２４が設けられている。
【００４５】
また、凸部材７の前支持突片７２１上面に、引戸の前面板６２の前面板上部折曲部６２１が被せられ、後支持突片７２２上面に、引戸の後面板６３の後面板上部折曲部６３１が被せられる。
このようにすることで、引戸上端部は、表面板の折り曲げ部が見えるだけであるから、前後支持突片の端面などが見えることなく見栄えが良い。
【００４６】
引戸６を吊り下げた状態で、図３に示すように、引戸６の戸尻側が、前後中縦枠３、３０の間に位置し、引戸６の戸先側が戸先側縦枠１４の閉鎖用凹部１４８に位置するので、引戸６の巾方向と略同一寸法の長さに設定されている仕切部７２が、戸先側縦枠１４と前後中縦枠３、３０間に形成される出入口開口部全域に位置することになるから、点検パネルやランマパネルの下端に生まれるわずかな隙間からレール部材などの構造体が見えることを防止でき、引戸を挟んだ対面側の光が、他方側に漏れてくることを防止できる。
【００４７】
このように構成された引戸６の上面に、吊り下げボルト６１、６１が、吊り貫通孔７２４、７２４を貫通して、引戸上枠６４に設けられた螺孔７２５、７２５に螺合される。
吊り下げボルト６１、６１は、凸部材７ではなく引戸の前後面板間に配設される上枠６４と螺合するので、凸部材７は、引戸上枠６４の上面に強固に取り付ける必要がないばかりか、高強度を必要としない。したがって、薄板の鋼板や樹脂部材など、コストに応じた材料を用いることができ、コストを抑えることができる。
【００４８】
吊り下げボルト６１は、螺軸部とボルト頭部よりなり、点検パネル８が取り外された状態の出入口の前側より、吊り下げボルト６１、６１の螺軸部が、吊り下げ支持部５３の吊り下げボルト挿通孔を挿通して、ボルト頭部が吊り下げ用支持部５３に保持され、必要に応じて頭部をスパナで回動して引戸６を所定の高さに位置させた後、ボルト保持体６５、６５が吊り下げ用支持部５３に前側より連結されて、レール部材５に吊り下げ用金具５１を介して吊り下げられる。
【００４９】
さらに、引戸６を吊り下げた状態で、吊り下げ用金具５１の戸先側端部とレール保持材２の戸先側端部間にゼンマイ式の自閉装置（図示せず。）を配設し、レール保持材２と吊り下げ用金具５１間にブレーキ装置（図示せず。）を配設し、引戸６の所望の自閉スピードを得る。尚、実施例のゼンマイ式の自閉装置、ブレーキ装置は公知（市販）のものを使用しているので説明は省略する。
【００５０】
本発明は、上記のように構成され、点検パネル８、ランマパネル８０が取り外された状態で引戸６が吊り下げられ、すべての調整を終了した後、点検パネル８とランマパネル８０が取り付けられる。
【００５１】
引戸６の高さ位置等を調節後、点検パネル８は、点検パネル上嵌入部８２が点検パネル上嵌入用間隙１８２に下方から嵌入された状態で、点検パネル戸先側嵌入部８３を戸先側縦枠１３の閉鎖用凹部１４８の前端部側に嵌入させ、点検パネル下部突部８４を、引戸６の前側凹部７００に収容した後、点検パネル８の戸尻側の正面で、前閉塞部材１１にネジにて取り付けられる。そして、点検パネル８を上下動させて、点検パネル８の下面と引戸６の上面の隙間が美麗な状態となる位置に調整する。
【００５２】
次に、引戸６を開放した状態で、点検パネル戸先側嵌入部８３側の点検パネル下補強材８６の前嵌入保持孔８７に嵌入保持された前間隔保持金具８５を、レール保持材２の下面に下方からネジ止め連結し、さらに、前間隔保持金具連結用長孔８８を介して連結ネジを点検パネル連結用螺孔８９にネジ止め固定する。
この状態で、点検パネル８の前表面板８１は引戸６の前面板６２と上下方向で面一となり、戸先側縦枠１４側端部が前間隔保持金具８５の剛性によって不用意に前後方向に撓むことがない。
【００５３】
さらに、同様にして、ランマパネル８０が取り付けられる。
当然ながら、引戸６の凸部材７によって形成される前側凹部７００、後側凹部７０１は、
該凹部に収容される点検パネル８とランマパネル８の下端部の厚みより深く設定され、引戸６に干渉しないため、引戸６の開閉には支障が出ない。
【符号の説明】
【００５４】
１          引戸枠
１１        建物用鉄骨
１３        戸尻側縦枠
１４        戸先側縦枠
１５        上枠
２          レール保持材
３          前中縦枠
３０        後中縦枠
６          引戸
６２        前面板
６３        後面板
６４        引戸上枠
６５        引戸縦枠
６２１      前面板上部折曲部
６３１      後面板上部折曲部
７          凸部材
７００      前側凹部
７０１      後側凹部
７２        仕切部
７２１      前支持突片
７２２      後支持突片
７２３      施錠挿通孔
７２４      吊り貫通孔
７２４      螺孔
８          点検パネル
８１        前表面板
８４        点検パネル下部突部
８０        ランマパネル
８０１      後表面板
８０４      ランマパネル下部突部  
９          施錠装置
９１        施錠杆
【図１】
2015203211.tif 000003
【図２】
2015203211.tif 000004
【図３】
2015203211.tif 000005
【図４】
2015203211.tif 000006
【図５】
2015203211.tif 000007
【図６】
2015203211.tif 000008
【図７】
2015203211.tif 000009
【図８】
2015203211.tif 000010
【図９】
2015203211.tif 000011